(57)【要約】      （修正有）【課題】小型トラックの荷台をシートによってカバーする効果的な防雨構造物を提供する。【解決手段】雨水案内板４の上端部をシールシート５を介して運転席後壁外部に接着固定して車体と一体化することで雨水案内板４を車体側の常設設備とし、この雨水案内板４の下側に従来の荷台カバーシート１の前辺部を重ねて配置し、通常の緊張手段でシート全体を張設することで形成される前述の空間を該雨水案内板４がカバーし閉鎖するものであり、同時に壁を伝い下がる雨水を荷台カバーシート１の表面上に誘導、自然に排水する。【選択図】図２
0003180000.tif 000002
【実用新案登録請求の範囲】
【請求項１】
小型トラックの荷台カバーシート防雨に関するものであって、
雨水案内板（４）は荷台幅を防雨することが出来る長さを有しこれの上部に配設したシールシート（５）は防雨シールと蝶番の機能を併せ持ち、
これを運転席後壁の窓下部に接着固定して該雨水案内板（４）を下向きの煽り状態に設置し、
その下側に重ねてカバーシート（１）を張設することで該雨水案内板（４）を該カバーシート（１）の上に煽り状態で解放してなることを特徴とした小型トラック荷台の防雨構造物。
【請求項２】
前記請求項１において雨水案内板（４）の下端裏側に桟（７）を設置したことを特徴とした小型トラック荷台の防雨構造物。
【考案の詳細な説明】
【考案の属する産業分野】
【０００１】  本考案は小型トラック荷台の雨除けカバーシートに組み合せる防雨構造物に関する。
【背景技術】
【０００２】  従来、小型トラック用荷台カバーシートは一般的なそれ専用の製品化がなされていないのが現状であり、ユーザー一般が市販の平面シートを得てこれを荷台カバーとして流用しているのが現状である。その結果荷台に平面的に掛け覆うなどしても完全なる防雨対策を施すことが難しく、それ以上は個人による種々の工夫がなされ使用されてきたのものである。【０００３】  中でも一般的なものは荷台を構成する三方に立ちあがる煽り板の上からシートを平面的に荷台を覆った上で前辺の１〜３ヶ所をつまみ上げる如くにして高い位置にある枠体に止めることで後方と左右に表面排水勾配をとって全体を張り覆うことであり、この工夫によって受ける雨水のほとんどを車外へ受け流すことができているが一部の箇所からの雨水浸入は防止しきれていないのが現状である。【０００４】  荷台の箱を構成するものは、底板のほか三方に立ちあがる煽り板と前方に位置する運転席の後壁との四方によってなるが、このうち後壁だけが他の三方に比して突出して高くなるが、これは運転席の後壁である故の車体構造のなすところである。【０００５】  荷台にシートを張設するためには荷台の要所にシートを係止するためのロープフックが必要であるが、荷台横の最前部にフックが備わっていないことが小型車や軽トラックの一般的な特徴である。
【先行技術文献】
【０００６】
【特許文献１】特開２００１−３１５５７０号公報
【０００７】  前記特許文献１においては、荷台を覆う防水シートの運転席背面の辺に垂れ部分を設けてなるもので、この垂れ部分を運転席背面側の補強縦枠部に密着させて、シートの鳩目にひもを通すか又はマジックテープ（登録商標）を用いて固定することが提案なされているが、固定する対象が当該提案が云うところの縦枠部であるから運転席背面との間にある空間をカバーするものではないことが理解される。
従って普通には該枠部は運転席後壁と摩擦しないように締結箇所以外は壁から浮かせて取り付けられているものであるから、そこに出来る空間から雨水が入り込むという課題は解決されることなく存在していた。
【考案の概要】
【考案が解決しようとする課題】
【０００８】  従来、荷台を普通にシートで覆ってもなお雨水が浸入するときの経路が二つあった。第一の経路は、前述した荷台三方の煽り板の上で水平に荷台全面を平面カバーシートで張り覆い前辺の一部を吊り上げ止めて排水勾配をとった場合でも、シート面に対し隣接する運転席後壁は遥かに高い位置に概ね垂直に構成されているものであるため、その後壁全体に斜め後方から雨が降りつけるとき後壁に当った雨水はその壁を伝い下る経路で荷台上に流れ下って浸入するという課題があった。【０００９】  その第二は、前記同様普通にシートを張り覆った場合にシート前辺と運転席後壁との間に出来る空間に雨水が直接降り込むという課題があった。これは荷台横の最前部にロープフックが無く少し後退した位置にあるためここにシートを係止緊張しても運転席後壁から離れてシートが張られてしまうために形成される空間部への降り込みである。【００１０】  前記二つの課題の根本的な問題は現状では車両の構造上の問題であり、車両構造をユーザーが変更することはできないから他の効果的手段による解決が求められていたものである。
【課題を解決するための手段】
【００１１】  小型トラックの荷台カバーシート防雨に関するものであって、雨水案内板４は概ね荷台幅を防雨することが出来る長さを有しこれの上部に配設したシールシート５は防雨シールと蝶番の機能を併せ持ち、これを運転席後壁の窓下部に接着固定して該雨水案内板４を下向きの煽り状態に設置し、その下側に重ねてカバーシート１を張設することで該雨水案内板４を該カバーシート１の上に煽り状態で解放してなることを特徴とした小型トラック荷台の防雨構造物である。【００１２】  前記請求項１において雨水案内板４の下端裏側に桟７を設置したことを特徴とした小型トラック荷台の防雨構造物である。
【考案の効果】
【００１３】  本考案効果の第一は板材である雨水案内板と運転席後壁とを柔軟材であるシールシートを介して連結し接着固定したことによって雨水案内板に下向き煽り板としての機能を具体化し、接着固定によることで水密性を確保し、上方から壁を伝い下る雨水を全て雨水案内板の表面上に導き通過させ、それを荷台カバーシート表面上へと誘導して、流れ下る雨水を荷台に侵入させることなく自然に排水されるようにしたことである。【００１４】  前記した状態を実現したことで既に雨水案内板がカバーシートと運転席後壁間の開口部を覆うことも同時に実現していることで、前述した雨水浸入に関わる二つの課題を解決したものである。【００１５】  板材である雨水案内板を柔軟材であるシールシートを介して運転席後壁に接着固定することにより車体側の構成物として常設したことが本考案の特徴であり、これによって必要に応じて雨水案内板の下側に重ねて荷台カバーシートを普通に張設するだけで問題を残すことなく防雨を実現し、また晴天などによりカバーシートが不要な時には本考案防雨構造物に関わりなくカバーシートを設置しない選択が自由にできる簡便性の高い荷台カバーシートシステムを実現したものである。
【図面の簡単な説明】
【００１６】
【図１】は従来のカバーシート張設状態を示す斜視図。
【図２】は本考案小型トラック荷台の防雨構造物を軽トラックに設置、シートを張設した状態を示す斜視図。
【図３】は本考案の要部を示す断面図。
【図４】は同じく要部を示す断面図。
【図５】は同じく実施例を示す断面図。
【考案を実施するための形態】
【００１７】  本考案を図面について説明すれば、図１は従来の一般的な利用状況を示すトラック荷台カバーシート１を張設した斜視図である。カバーシート前辺２の一点を高い位置に係止して左右と後方に排水勾配を確保し要所をゴムバンドで車体のロープフックに緊張固着設置した状況を表す。
【００１８】  また、図１においては通常は各メーカー車ともカバーシート前辺２と運転席後壁６との間に空間ａができることの状況を一例として表しているが、これはロープフック３が荷台の最前部よりも後方の離れた位置にあることによるものであることも表している。
【００１９】  図２は本考案である小型トラック荷台の防雨構造物を設置した場合の斜視図であり、張設したカバーシート１と運転席後壁６との間に雨水案内板４を設置し、カバーシート前辺２を越えてシートの上に重ね出ている。
【００２０】  図３は本考案の要部を示す断面図であり、雨水案内板４の上端に設置したシールシート５の上部を運転席後壁の窓下に接着固定し、下部は雨水案内板４に接着固定している。それによって該シールシート５は蝶番の役割を帯び、該雨水案内板４には下向き煽り板の機能、即ち自重で下方に落ち着く機能を持たせたものである。
【００２１】  前記した下方に落ち着く機能とは図４に示す雨水案内板４の下方部がカバーシート１の前辺２部を越えてシートの上に重なって安定している状態であり、後壁を伝い下る雨水をここに誘導しカバーシート１上に自然排水する。
【００２２】  本考案の主たる特徴は、防雨構造物を車体側に設置することであり、車体の一部として常設していることにある。従ってこれを使用する時と不要な時、すなわち雨天と晴天によって使い分けられることが必要であり、それを効果的に実現したのがシールシート５の蝶番性役割の実現である。
【００２３】  この蝶番性役割によってカバーシートの不要時には雨水案内板４は自重により下方に自然垂下しているために貨物作業の障害にはならず、雨天によりカバーシートを張設する際には雨水案内板４を煽り上げて置きその下にシートを張設し、その後雨水案内板４をカバーシート上に降ろせば防雨が実動することとなり、そのためにはシールシート５の蝶番性役割が極めて有効に作用するのである。
【実施例】
【００２４】  図５に示す雨水案内板４の下端裏側に全幅に渡って棒状の桟７を一体設置することで、カバーシート面に雨水が介在して上下が密着した時の毛管現象による遡りを防止することが有効である。【００２５】  また実施例としてシールシート５に代わって柔軟材でなる雨水案内シートを用いることも有効であり、その上端部を直接壁面に接着固定することで、後壁を伝い下る雨水の誘導とその自然排水は前記と同様に実現される。【００２６】  本考案防雨構造物は従来の荷台カバーシート張設と組み合せて防雨を実現するものである。
【符号の説明】
【００２７】  １カバーシート、２シート前辺、３ロープフック、４雨水案内板、
５シールシート、６運転席後壁、７桟、８運転席後窓、９荷台、
ａ空間。
【図１】
0003180000.tif 000003
【図２】
0003180000.tif 000004
【図３】
0003180000.tif 000005
【図４】
0003180000.tif 000006
【図５】
0003180000.tif 000007